(57)【要約】【課題】バーの間隔を精度よく保つことができるバースクリーン装置を提供する。また、バーの組立又は交換を容易にする。【解決手段】バースクリーン装置１は、水平に延びる円弧状のバー２０を備えている。バー２０の左端部は、複数の貫通孔が形成された保持板２６に挿入されている。保持板２６を貫通した突出部分は、上下に延びるボルト２９により固定されている。バー２０の右端部には、裏側に突出する突出片２２が形成されている。突出片２２は、保持板２６の貫通孔を貫通し、保持板２６の裏側でボルト２９により固定されている。【選択図】  図２
2006112143.tif 000002
【特許請求の範囲】
【請求項１】
長手方向に沿って貫通孔が複数形成された保持板と、
前記貫通孔に嵌め込まれ、前記保持板の長手方向と交差する方向に延びる複数のバーと、
を備えたバースクリーン装置。
【請求項２】
前記バーは、前記貫通孔を貫通して前記保持板から突出した突出部を有し、
前記複数のバーの突出部同士を固定する固定具を備えた、請求項１に記載のバースクリーン装置。
【請求項３】
長手方向に沿って貫通孔が複数形成された第１及び第２の保持板と、
一端側が前記第１の保持板に保持され、他端側が前記第２の保持板に保持され、前記各保持板の長手方向と交差する方向に延びる複数のバーと、
を備えたバースクリーン装置であって、
前記バーの一端は、前記第１の保持板の貫通孔に対して前記バーの長手方向から差し込まれ、
前記バーの他端には、前記バーの長手方向と交差する方向に突出する突出片が形成され、
前記突出片は、前記第２の保持板の貫通孔に対して前記突出片の突出方向に差し込まれている、バースクリーン装置。
【請求項４】
前記バーの一端は、前記第１の保持板の貫通孔を貫通して前記第１の保持板から突出する第１の突出部を有し、
前記バーの突出片は、前記第２の保持板の貫通孔を貫通して前記第２の保持板から突出する第２の突出部を有し、
前記複数のバーの前記第１の突出部同士を固定する第１の固定具と、
前記複数のバーの前記第２の突出部同士を固定する第２の固定具と、
を備えた、請求項３に記載のバースクリーン装置。
【請求項５】
前記固定具は、前記バーの突出部を貫くことにより前記突出部同士を固定するボルトを有している、請求項２又は４に記載のバースクリーン装置。
【請求項６】
前記保持板は、貫通孔が形成された複数の板材を重ね合わせることにより形成されている、請求項１〜５のいずれか一つに記載のバースクリーン装置。
【発明の詳細な説明】
【技術分野】
【０００１】
本発明は、バースクリーン装置に関するものである。
【背景技術】
【０００２】
従来から、例えば下水処理施設等において、バースクリーン装置が用いられている。バースクリーン装置は、長尺のバーを所定間隔毎に積層してなるバースクリーンを備え、当該バースクリーンによって汚水中の夾雑物等を除去する装置である。
【０００３】
従来の多くのバースクリーン装置では、両端部にスペーサを介してバーを積層していくことにより、バースクリーンを形成していた。しかしながら、バー又はスペーサの寸法誤差等が原因となり、バーの間隔が設計値からずれる場合が多かった。また、バースクリーンに付着した夾雑物を掻き取るレーキを備えた装置にあっては、バーの間にレーキがはまり込まない等の不具合が生じるおそれもあった。
【０００４】
一方、バーを挿入する保持溝が形成されたバー保持棒によってバーの両端を支持するバースクリーン装置が知られている（下記特許文献１参照）。特許文献１に開示されたバースクリーン装置は、平面視略正方形状のブロック体からなるバー保持棒を備えている。このバー保持棒には、前方及び側方に開いた保持溝が上下方向に一定間隔毎に形成され、バーの両端部が上記保持溝に挿入されている。ブロック体の前側には、保持溝の前方を塞ぐ正面板が固定されている。
【０００５】
上記バースクリーン装置では、バーを組み立てる際には、始めに、右側のバー保持棒の保持溝にバーを挿入していく。そして、すべてのバーを挿入し終えると、バーが抜けないように、右側のバー保持棒の前側に正面板を固定する。次に、バーの左端側に左側のバー保持棒を用意し、各バーを左側バー保持棒に向かってスライドさせ、保持溝に挿入する。各バーの右端部には、前側の一部を切り欠いた切欠部が形成されている。バーを左側にスライドさせると、右側のバー保持棒とバーの切欠部との間に隙間が空くので、この隙間にスペーサを押し込む。これにより、各バーは、左右両側においてバー保持棒に固定されることになる。
【特許文献１】特開平８−５３８２５号公報（図１０，図１３）
【発明の開示】
【発明が解決しようとする課題】
【０００６】
しかしながら、平面視略正方形状のブロック体に対して、前方及び側方に開いた溝を精度よく加工することは難しい。そのため、上記バースクリーン装置においても、バーの間隔を十分に高精度に保つことは難しかった。一方、溝の加工精度を高めようとすると、加工費が高くなり、装置の低コスト化を阻害する要因となる。
【０００７】
また、上記バースクリーン装置では、ブロック体の前側に正面板を固定する必要があった。さらに、組み立て時にバーを左側にスライドさせ、バー保持棒とバーの切欠部との間の隙間にスペーサを押し込まなければならなかった。そのため、バーの組立性に劣り、また、メンテナンス時にバーの交換が容易でないという課題があった。
【０００８】
本発明は、かかる点に鑑みてなされたものであり、その目的とするところは、バーの間隔を精度よく設定することができるバースクリーン装置を提供することにある。また、本発明の他の目的は、バーの組立又は交換を容易にすることである。
【課題を解決するための手段】
【０００９】
本発明に係るバースクリーン装置は、長手方向に沿って貫通孔が複数形成された保持板と、前記貫通孔に嵌め込まれ、前記保持板の長手方向と交差する方向に延びる複数のバーと、を備えたものである。
【００１０】
上記バースクリーン装置によれば、バーは保持板の貫通孔に嵌め込まれ、保持板によって保持される。ここで、保持板は板状体からなっているので、貫通孔を精度よく形成することが容易である。したがって、バーの間隔を所定の間隔に高精度に保つことができる。
【００１１】
前記バーは、前記貫通孔を貫通して前記保持板から突出した突出部を有し、前記バースクリーン装置は更に、前記複数のバーの突出部同士を固定する固定具を備えていることが好ましい。
【００１２】
このことにより、バーを保持板の貫通孔に通し、貫通孔から突出した突出部同士を固定具で固定することによって、バーを容易に組み立てることができる。逆に、固定具を外し、バーを保持板の貫通孔から引き抜くことにより、バーを容易に取り外すことができる。したがって、バーの組立又は交換を容易に行うことができる。
【００１３】
本発明に係る他のバースクリーン装置は、長手方向に沿って貫通孔が複数形成された第１及び第２の保持板と、一端側が前記第１の保持板に保持され、他端側が前記第２の保持板に保持され、前記各保持板の長手方向と交差する方向に延びる複数のバーと、を備えたバースクリーン装置であって、前記バーの一端は、前記第１の保持板の貫通孔に対して前記バーの長手方向から差し込まれ、前記バーの他端には、前記バーの長手方向と交差する方向に突出する突出片が形成され、前記突出片は、前記第２の保持板の貫通孔に対して前記突出片の突出方向に差し込まれているものである。
【００１４】
このことにより、バーを保持板に取り付ける際には、まず、第１の保持板の貫通孔に対して、バーの一端を長手方向から差し込む。次に、バーの他端の突出片を、第２の保持板の貫通孔に向かって差し込む。この際、バーの一端側の差し込み方向と他端側の差し込み方向とが異なっているので、バーは容易に差し込まれる。したがって、上記バースクリーン装置によれば、バーの組立又は交換を容易に行うことができる。
【００１５】
前記バーの一端は、前記第１の保持板の貫通孔を貫通して前記第１の保持板から突出する第１の突出部を有し、前記バーの突出片は、前記第２の保持板の貫通孔を貫通して前記第２の保持板から突出する第２の突出部を有し、前記バースクリーン装置は更に、前記複数のバーの前記第１の突出部同士を固定する第１の固定具と、前記複数のバーの前記第２の突出部同士を固定する第２の固定具と、を備えていることが好ましい。
【００１６】
このことにより、バーを容易に固定することができる。また、バーを容易に取り外すことができる。
【００１７】
前記固定具は、前記バーの突出部を貫くことにより前記突出部同士を固定するボルトを有していることが好ましい。
【００１８】
このことにより、各バーにボルトを通すことにより、バーを容易に固定することができる。また、ボルトを各バーから引き抜くことにより、バーの固定を容易に解除することができる。
【００１９】
前記保持板は、貫通孔が形成された複数の板材を重ね合わせることにより形成されていることが好ましい。
【００２０】
薄い板材ほど、寸法精度の高い貫通孔を形成することが容易である。そのため、寸法精度の高い貫通孔が形成された板材を重ね合わせることにより、保持板の貫通孔の精度を向上させることができる。したがって、上記バースクリーン装置によれば、バーの間隔を更に高精度に保つことができる。
【発明の効果】
【００２１】
以上のように、本発明によれば、バーの間隔を高精度に設定することができる。また、バーの組立又は交換を容易にすることができる。
【発明を実施するための最良の形態】
【００２２】
以下、本発明の実施形態を図面に基づいて詳細に説明する。
【００２３】
図１に示すように、実施形態に係るバースクリーン装置１は、合流式下水道施設の雨水吐き室２に設置されている。雨水吐き室２の形状及び設置箇所は特に限定されないが、本実施形態では、雨水吐き室２は直方体形状に形成され、道路の下に埋設されている。雨水吐き室２には、略円弧状に延びる側面を有する堰３が設けられている。堰３の下側には通常路４が形成され、堰３の上側には増水路５が形成されている。バースクリーン装置１は堰３の上に設置され、通常路４と増水路５とを仕切っている。
【００２４】
通常路４には、供給管６と第１排水管７とが設けられている。供給管６は、家屋等から排出される排水と雨水とが合流してなる汚水を、通常路４に供給する配管である。第１排水管７は、汚水を図示しない下水処理場等に向かって排出する配管である。第１排水管７の排出口９は、堰３の上端よりも低い位置に設けられている。なお、供給管６と第１排水管７とは互いに直交する方向に延びており、供給管６から供給された汚水が堰３の側面に沿って流れ、第１排水管７から円滑に排出されるようになっている。
【００２５】
増水路５には、第２排水管８が設けられている。第２排水管８は、堰３を越えて増水路５に流入した汚水を、河川等に放流する配管である。すなわち、豪雨時等のように雨水の量が多いときには、通常路４から溢れた汚水が堰３を越え、バースクリーン装置１によって濾過された後、第２排水管８を通じて河川等に放流される。なお、第２排水管８は、供給管６と平行な方向に延びている。
【００２６】
バースクリーン装置１は、略円弧状に延びるケーシング１０と、ケーシング１０の前面側に固定されたバースクリーン８０とを備えている。なお、以下の説明では、バースクリーン８０の通常路４側、増水路５側を、それぞれ表側、裏側という。また、バースクリーン８０の供給管６側、第１排水管７側を、それぞれ左側、右側という。なお、本実施形態では、バースクリーン８０の左側はレーキ１１の上流側となり、バースクリーン８０の右側はレーキ１１の下流側となる。
【００２７】
図２に示すように、バースクリーン装置１は更に、バースクリーン８０から夾雑物等を掻き取る複数のレーキ１１と、レーキ１１を循環移動させるレーキ循環機構１２と、レーキ１１によって掻き取られた夾雑物等をバースクリーン８０の右端部に送り出す送り出し機構１３とを備えている。
【００２８】
バースクリーン８０は、複数のバーを所定間隔毎に上下に積層することにより形成されている。図３に示すように、本実施形態に係るバースクリーン８０のバー２０は、円弧状に延びる水平バーからなっている。バー２０の断面形状は、略長方形状に形成されている。ただし、バー２０の断面形状は何ら限定されるものではない。
【００２９】
バー２０の左端部１９には、後述するボルト２９（図２参照）を挿通するための孔２１が形成されている。バー２０の右端部には、バー２０の長手方向と直交し、裏側に突出する突出片２２が形成されている。突出片２２にも、ボルトを挿通するための孔２３が形成されている。
【００３０】
バー２０の右側部は、他の部分に比べて奥行きが長くなっている。すなわち、バー２０の途中には、奥行きが変化する段差部２４が形成されている。なお、本実施形態では、段差部２４において、バー２０の奥行きは連続的に変化している。
【００３１】
図２に示すように、ケーシング１０の左端の前側にはホルダ２５が取り付けられ、このホルダ２５には、バー２０を保持する保持板２６が固定されている。保持板２６は、バー２０の長手方向と直交するように配置されている。
【００３２】
図４に示すように、保持板２６は、上下方向に延びる複数の板材２７を積層することにより形成されている。各板材２７には、バー２０を挿入する貫通孔２８が長手方向に複数形成されている。なお、各板材２７は薄いので、例えば打ち抜き加工やレーザ加工等により、貫通孔２８を容易かつ高精度に形成することができる。ただし、保持板２６を単体の板状体で形成することも勿論可能である。
【００３３】
図５及び図６に示すように、バー２０の左端部１９は、バー２０の長手方向から保持板２６の貫通孔２８に差し込まれ、保持板２６を貫通して左側に突出している。そして、保持板２６の左側に突出した突出部には、上下に延びるボルト２９が挿通されている。これにより、上下に並べられた複数のバー２０は、ボルト２９によって一体的に固定されている。
【００３４】
図２に示すように、ケーシング１０の右端の前側にもホルダ２５が取り付けられ、ホルダ２５にも保持板２６が固定されている。ただし、右端の保持板２６は、バー２０の長手方向と平行に配置されている。
【００３５】
図７に示すように、バー２０の右端部の突出片２２は、バー２０の長手方向と直交する方向から保持板２６の貫通孔２８に差し込まれ、保持板２６を貫通して裏側に突出している。そして、保持板２６の裏側に突出した突出片２２には、上下に延びるボルト２９が挿通されている。これにより、バー２０の右端部も、ボルト２９によって一体的に固定されている。ただし、バー２０の左端部と異なり、右端部は裏側で固定されているので、右端部の先端４８は開放されている（図８参照）。すなわち、バー２０の右端４８は、バースクリーン装置１の右端まで延びている。
【００３６】
次に、レーキ循環機構１２について説明する。図２に示すように、レーキ循環機構１２は、バースクリーン装置１の右側に配置された第１回転軸４１と、左側に配置された第２回転軸４２と、第１回転軸４１に固定された上下一対の駆動スプロケット３１（図９参照）と、第２回転軸４２に固定された上下一対の従動スプロケット３０と、駆動スプロケット３１と従動スプロケット３０とに巻き掛けられた上下一対のチェーン３４とを備えている。より詳しくは、駆動スプロケット３１は、バー２０の段差部２４の裏側に配置されている。従動スプロケット３０は、バー２０の左端１９よりも中央側に配置されている。なお、第１回転軸４１には、駆動モータ４９（図９参照）が取り付けられている。したがって、第１回転軸４１は、駆動モータ４９によって駆動される。
【００３７】
駆動スプロケット３１と従動スプロケット３０との間には、チェーン３４の走行を案内すると共にチェーン３４に張力を付与する中間スプロケット３２が配置されている。中間スプロケット３２も上下に一つずつ設けられている。また、駆動スプロケット３１と中間スプロケット３２との間、並びに従動スプロケット３０と中間スプロケット３２との間には、チェーン３４を案内するガイド３３がそれぞれ設けられている。これら中間スプロケット３２及びガイド３３により、チェーン３４は円弧状に配置されている。
【００３８】
本実施形態では、チェーン３４には４つのレーキ１１が連結されている。図９に示すように、レーキ１１は櫛歯状に形成され、バー２０の隙間に挿入されている。レーキ１１がバー２０に対して直交しているときには、レーキ１１の先端はバー２０の前方に突出する。すなわち、レーキ１１の長さは、バー２０の奥行きよりも長くなっている。
【００３９】
レーキ１１の裏側は支持部材５０に固定され、支持部材５０は上下のチェーン３４にそれぞれ取り付けられている。したがって、レーキ１１はチェーン３４に固定されており、チェーン３４が走行すると、レーキ１１はチェーン３４に従って円弧状の循環経路を移動することになる。なお、図２における破線５１は、循環移動の際におけるレーキ１１の先端の軌跡を示している。
【００４０】
次に、レーキ１１の循環移動について説明する。図２に示すように、レーキ１１は、バースクリーン装置１の裏側では、右側から左側に移動し、バースクリーン装置１の表側では、バー２０の隙間に入り込んだ状態で左側から右側に移動する。
【００４１】
すなわち、レーキ１１は、従動スプロケット３０を周回して裏側から表側に移動した後、バー２０の左側から隙間に入り込む。そして、レーキ１１はバー２０に溜まった夾雑物を掻き取りながら、バー２０の長手方向に沿って円弧状に移動する。その後、レーキ１１は駆動スプロケット３１の前方に移動し、駆動スプロケット３１の周りを表側から裏側に向かって周回する。この際、レーキ１１は、バー２０の段差部２４において、バー２０の隙間から外れる。したがって、段差部２４は、レーキ１１がバー２０から離れる離反部となる。駆動スプロケット３１を周回したレーキ１１は、バースクリーン装置１の裏側において右側から左側へ移動し、再び従動スプロケット３０に到達する。そして、その後は上述の動作を繰り返す。
【００４２】
レーキ１１がバー２０から離反する段差部２４では、もはやバー２０の夾雑物をレーキ１１によって掻き取ることはできない。そこで、本実施形態では、レーキ１１によって段差部２４に運ばれてきた夾雑物を、送り出し機構１３によってバー２０の右端に送り出すこととした。次に、送り出し機構１３について説明する。
【００４３】
図１０及び図１１に示すように、送り出し機構１３は、バー２０の隙間に挿入されたＴ字型の送り出しバー６０を備えている。図１０に示すように、送り出しバー６０はスペーサ６４を介して上下に積層されており、支持部材６３に一体的に取り付けられている。支持部材６３の裏側は、揺動アーム６２を介して連結棒６１に固定されている。送り出しバー６０の左端には、段差部２４に沿った傾斜部が形成されている。
【００４４】
図１１に示すように、連結棒６１は、第１クランク軸４３と第２クランク軸４４とに嵌め込まれている。図１０に示すように、第１クランク軸４３の上端部及び下端部には、スプロケット３６が設けられている。図１１に示すように、第２クランク軸４４の下端部には、スプロケット３７が設けられている。そして、第１クランク軸４３の下端部のスプロケット３６と第２クランク軸４４のスプロケット３７とには、チェーン３９が巻き掛けられている。これにより、第１クランク軸４３と第２クランク軸４４とは連動し、連結棒６１は円を描くように揺動する。
【００４５】
図９に示すように、第１回転軸４１の上端部には、スプロケット３５が設けられている。このスプロケット３５と第１クランク軸４３の上側のスプロケット３６とは、チェーン３８によって連結されている。したがって、第１クランク軸４３は、第１回転軸４１と共に回転する。
【００４６】
前述したように、第１回転軸４１は駆動モータ４９によって回転される。第１回転軸４１と第２回転軸４２とは、チェーン３４を介して連結されており、第１回転軸４１と第１クランク軸４３とは、チェーン３８を介して連結されている。また、第１クランク軸４３と第２クランク軸４４とは、チェーン３９を介して連結されている。したがって、本実施形態では、単一の駆動モータ４９により、第１回転軸４１、第２回転軸４２、第１クランク軸４３、及び第２クランク軸４４のすべてを駆動することができる。
【００４７】
前述したように、送り出しバー６０は先端側が広いＴ字型に形成されている。図１１に示すように、送り出しバー６０の先端側の横幅は、バー２０の段差部２４と右端４８との間の距離よりも若干短くなっている。送り出しバー６０は連結棒６１と連結されているので、連結棒６１に従って、図１１における反時計回り方向に円を描くように揺動する。すなわち、送り出しバー６０は、バー２０の隙間に溜まった夾雑物を右端４８に向かって順次送り出すように揺動する。
【００４８】
ところで、段差部２４の近傍では、レーキ１１から送り出しバー６０への夾雑物の受け渡しを円滑にするために、レーキ１１の軌跡と送り出しバー６０の軌跡とが一部重なっている。そこで、本実施形態では、レーキ１１と送り出しバー６０とが干渉しないように、レーキ１１の循環移動と送り出しバー６０の揺動とを同調させることとしている。
【００４９】
具体的には、図１２〜図１８の順に経時的に示すように、レーキ１１が段差部２４に近づくと、送り出しバー６０を段差部２４から離れた位置に移動させ、逆に、レーキ１１が段差部２４から遠ざかると、送り出しバー６０を段差部２４に近づける。このような同調動作により、レーキ１１と送り出しバー６０との干渉を防止することができる。なお、本実施形態の構成によれば、スプロケット３５，３６の歯数などを調整すること等により、上記同調を容易に実現することができる。
【００５０】
図１１に示すように、バー２０の右端部の裏側には、汚水の通過を阻止する閉鎖板７０が配置されている。閉鎖板７０の寸法は特に限定されるものではないが、本実施形態では、閉鎖板７０の横幅（バー２０の長手方向に沿った方向の長さ）は、送り出しバー６０の幅の約１／３〜１／４の長さになっている。
【００５１】
以上のように、本実施形態に係るバースクリーン装置１によれば、貫通孔２８が形成された保持板２６によって、バー２０を保持することとした。本実施形態によれば、貫通孔２８を高精度に形成することができる。したがって、バー２０の間隔を精度よく保つことができる。
【００５２】
特に、本実施形態によれば、保持板２６は複数の板材２７を積層することにより形成されている。したがって、各板材２７の厚みは小さい。そのため、打ち抜き加工やレーザ加工等により、貫通孔２８を容易かつ高精度に形成することができる。
【００５３】
また、本実施形態では、バー２０の左端部１９を貫通孔２８に貫通させ、保持板２６から突出した部分をボルト２９により一体的に固定することとした。したがって、バー２０を容易に組み立てることができる。また、メンテナンスや交換の際に、バー２０を容易に取り外すことができる。そのため、バー２０の組立又は交換を容易に行うことができる。
【００５４】
また、本実施形態によれば、バー２０の右側には、バー２０の長手方向と直交する方向に突出する突出片２２を設けることとした。そして、バー２０の左端部１９を保持板２６に固定した後に、バー２０の右側の突出片２２を他の保持板２６の貫通孔２８に貫通させ、保持板２６から突出した部分をボルト２９によって一体的に固定することとした。したがって、バー２０の右側部分も容易に固定することができ、また、容易に取り外すことができる。
【００５５】
また、本実施形態によれば、バー２０の左端部１９の差し込み方向と右端部の差し込み方向とが異なっているので、バー２０の取り付け又は取り外しを容易に行うことができる。
【００５６】
なお、上記実施形態では、バー２０は円弧状であったが、バー２０は直線状に形成されていてもよい。バー２０の形状は特に限定されるものではない。また、バー２０は水平バーに限らず、垂直バー等であってもよい。
【産業上の利用可能性】
【００５７】
以上説明したように、本発明は、バースクリーン装置について有用である。
【図面の簡単な説明】
【００５８】
【図１】雨水吐き室の斜視図である。
【図２】バースクリーン装置の内部構造を示す断面図である。
【図３】バーの平面図である。
【図４】保持板の斜視図である。
【図５】バースクリーン装置の左端部の正面図である。
【図６】バースクリーン装置の左端部の側面図である。
【図７】バースクリーン装置の右端部の側面図である。
【図８】バースクリーン装置の右端部の正面図である。
【図９】図２のＩＸ−ＩＸ線断面図である。
【図１０】図２のＸ−Ｘ線断面図である。
【図１１】送り出し機構の断面図である。
【図１２】バースクリーン装置の右側部分の断面図である。
【図１３】バースクリーン装置の右側部分の断面図である。
【図１４】バースクリーン装置の右側部分の断面図である。
【図１５】バースクリーン装置の右側部分の断面図である。
【図１６】バースクリーン装置の右側部分の断面図である。
【図１７】バースクリーン装置の右側部分の断面図である。
【図１８】バースクリーン装置の右側部分の断面図である。
【符号の説明】
【００５９】
１    バースクリーン装置
３    堰
１０  ケーシング
１１  レーキ
１２  レーキ循環機構
１３  送り出し機構
１９  バーの左端部（突出部）
２０  バー
２２  突出片
２４  段差部（離反部）
２６  保持板
２７  板材
２８  貫通孔
２９  ボルト（固定具）
８０  バースクリーン
【図１】
2006112143.tif 000003
【図２】
2006112143.tif 000004
【図３】
2006112143.tif 000005
【図４】
2006112143.tif 000006
【図５】
2006112143.tif 000007
【図６】
2006112143.tif 000008
【図７】
2006112143.tif 000009
【図８】
2006112143.tif 000010
【図９】
2006112143.tif 000011
【図１０】
2006112143.tif 000012
【図１１】
2006112143.tif 000013
【図１２】
2006112143.tif 000014
【図１３】
2006112143.tif 000015
【図１４】
2006112143.tif 000016
【図１５】
2006112143.tif 000017
【図１６】
2006112143.tif 000018
【図１７】
2006112143.tif 000019
【図１８】
2006112143.tif 000020